(57)【要約】      （修正有）【課題】両手が自在に使える人でなくても上半身用の衣類を脱げるようにした脱衣補助具を提供する。【解決手段】脱衣補助具１の２本の分岐紐の先端に設けられたクリップ５、６で着衣している上半身用の衣類の背側の左右両脇の裾または裾近くの複数箇所を挟持させるとともに、基紐の先端に設けられたフック７を引き出し１０に固定し前かがみになって後ずさりしたり、鴨居に固定した状態で上体を伸ばしたまましゃがんだりすることで、衣類を裾側からまくり上げることができ、片手しか使えない人であっても、上半身用の衣類の脱衣を簡単に行なうことができる。【選択図】図４
0003182255.tif 000002
【実用新案登録請求の範囲】
【請求項１】
１本の基紐と、
この基紐の一端側を分岐点として複数本に分岐して設けられた分岐紐とを有し、
各分岐紐は分岐側の端部が基紐の一端側と一体化されており、かつ、各分岐紐の先端側の端部に衣類を着脱自在に挟む挟持部材を備えたこと、
を特徴とする脱衣補助具。
【請求項２】
前記基紐の内、分岐点とは反対端側の端部に、該端部を係脱自在または着脱自在に固定物に留めるための取り付け部材を備えたこと、
を特徴とする請求項１記載の脱衣補助具。
【請求項３】
前記基紐を挿通する孔を有するガイド部材と、
ガイド部材を係脱自在または着脱自在に固定物に留めるための取り付け部材を備えたこと、
を特徴とする請求項１記載の脱衣補助具。
【請求項４】
前記基紐または前記複数の分岐紐の長さを調節する長さ調節部材を設けたこと、
を特徴とする請求項１または２または３記載の脱衣補助具。
【考案の詳細な説明】
【技術分野】
【０００１】
本考案は脱衣補助具に係り、とくに高齢者・身障者などが上半身用の衣類を脱ぐときの補助を行なう脱衣補助具に関する。
【背景技術】
【０００２】
衣服を脱ぐためには両手を使う必要があり、高齢者や身障者などで片手または両手が動かしづらくなっている人にとって、難しい動作となっていた。とくに、夏場や運動後で衣服が汗で濡れていると、衣服が肌に密着して脱げなくなってしまうことがあった。
従来から、高齢者・身障者用の脱衣補助具として、特開２００８−１４９１２２号公報に開示された脱衣補助具が提案されている。この脱衣補助具は、腰や膝を曲げられない人が立った姿勢のままパンツ、ズボン、スカートを脱げるようにしたものであり、例えば、パンツを脱ぐ場合、２本の支柱軸の各々の上端部を左右の手で持ち、各支柱軸の途中に設けた引っ掛け具をパンツの上端に掛けて押し下げることで立った姿勢のままパンツを脱ぐことができる。
【０００３】
しかしながら、上記した従来の脱衣補助具は、両手を使って下半身用の衣類を脱ぐことができるものの、上半身用の肌着、シャツなどの衣類を脱ぐときには使用できず、高齢者・身障者などで片手が挙がらないなどの理由で手で上半身用の衣類を脱ぐのが難しい人の補助具にはならなかった。
【先行技術文献】
【特許文献】
【０００４】
【特許文献１】特開２００８−１４９１２２号公
【考案の概要】
【考案が解決しようとする課題】
【０００５】
本考案は上記した従来技術の問題に鑑みなされたもので、両手が自在に使える人でなくても上半身用の衣類を脱げるようにした脱衣補助具を提供することを、その目的とする。
【課題を解決するための手段】
【０００６】
請求項１記載の考案では、１本の基紐と、この基紐の一端側を分岐点として複数本に分岐して設けられた分岐紐とを有し、各分岐紐は分岐側の端部が基紐の一端側と一体化されており、かつ、各分岐紐の先端側の端部に衣類を着脱自在に挟む挟持部材を備えたこと、を特徴としている。
請求項２記載の考案では、前記基紐の内、分岐点とは反対端側の端部に、該端部を係脱自在または着脱自在に取り付け対象の固定物に留めるための取り付け部材を備えたこと、を特徴としている。取り付け部材は、フック、吸盤、クリップ、磁石の内のいづれか１つとしても良い。
請求項３記載の考案では、前記基紐を挿通する孔の開いたガイド部材と、ガイド部材を係脱自在または着脱自在に取り付け対象の固定物に留めるための取り付け部材を備えたこと、を特徴としている。取り付け部材は、フック、吸盤、クリップ、磁石の内のいづれか１つとしても良い。
請求項４記載の考案では、前記基紐または前記複数の分岐紐に、長さを調節する長さ調節部材を付設したこと、を特徴としている。
【考案の効果】
【０００７】
本考案の一つによれば、脱衣補助具の各分岐紐の挟持部材で着衣している上半身用の衣類の背中側の裾または裾近くの複数箇所を挟持させるとともに、基紐の内、分岐点とは反対側の端部を家具・鴨居等に固定した状態で、前かがみになって後ずさりしたり、上体を伸ばしたまましゃがんだりすることで、衣類を裾側からまくり上げながら脱ぐことができ、片手しか使えない人などであっても、上半身用の衣類の脱衣を簡単に行なうことができる。
また、本考案の他の一つによれば、脱衣補助具の各分岐紐の挟持部材で着衣している上半身用の衣類の背中側の裾または裾近くの複数箇所を挟持させるとともに、基紐を挿通したガイド部材を家具・鴨居等に固定し、基紐の分岐点とは反対側の端部を手で引くことで、衣類を裾からまくり上げながら脱ぐことができ、片手しか使えない人などであっても、上半身用の衣類の脱衣が可能となる。
【図面の簡単な説明】
【０００８】
【図１】本考案の第１実施例に係る脱衣補助具の正面図である（実施例１）。
【図２】図１の脱衣補助具の使用方法の説明図である。
【図３】図１の脱衣補助具の使用方法の説明図である。
【図４】図１の脱衣補助具の使用方法の説明図である。
【図５】図１の脱衣補助具の使用方法の説明図である。
【図６】図１の脱衣補助具の使用方法の説明図である。
【図７】図１の脱衣補助具の使用方法の説明図である。
【図８】図１の変形例を示す一部省略した正面図である。
【図９】本考案の第２実施例に係る脱衣補助具の正面図である（実施例２）。
【考案を実施するための最良の形態】
【０００９】
以下、本考案の最良の形態を実施例に基づき説明する。
【実施例１】
【００１０】
図１を参照して本考案の第１実施例を説明する。図１は本考案に係る脱衣補助具の正面図である。
図１において、１は全体がＹ字状に形成された脱衣補助具であり、この内、２は１本の基紐( もとひも）、３と４は、基紐２の下端から２本に分岐して設けられた分岐紐であり、分岐点Ｃの側の端部が基紐２の下端側に一体的に結合されている。各分岐紐３、４の先端側の端部には衣類を着脱自在に挟む挟持部材としてのバネ（図示せず）付のクリップ５、６が装着されている。クリップ５、６には例えば洗濯バサミを使用することができる。一方、基紐２の内、分岐点とは反対端側の端部には、該端部２を係脱自在に外部の家具・鴨居等の取り付け対象の固定物に留めるための取り付け部材としてのフック７が装着されている。
【００１１】
次に図２乃至図７を参照して上記した実施例の作用を説明する。図２乃至図７は脱衣補助具の使用方法の説明図である。
まず、タンスの引き出しを脱衣補助具を留める取り付け対象の固定物とする場合について説明する。
室内において片手が不自由な使用者Ａが着衣している上半身用のシャツを脱ぎたい場合、図２に示す如く、立ち姿勢で、不自由でない側の手で脱衣補助具１の内、２つの分岐紐３、４の先端側に取り付けられたクリップ５、６でシャツ１１の背側の左右両脇の裾または裾近くを挟持させる。また、タンスの内、自分の背丈に近い引き出し１０を少し引き出し、基紐２の先端側に取り付けられたフック７を掛けて基紐２を留める。なお、先にフック７を引き出し１０に掛けておき、後からクリップ５、６でシャツ１１の背側の左右両脇の裾または裾近くに挟持させても良く、引き出し１０が取っ手を有する場合は、引き出し１０の取っ手にフック７を掛けるようにしても良い。
この状態で前かがみの姿勢を採り手を前に延ばしてゆっくり後ずさりする。すると、基紐２の先端側が引き出し１０に固定されているため、基紐２と分岐紐３、４がピンと張り、シャツ１１の両裾がクリップ５、６に引っ張られて捲り上げられていくことになり、最終的にシャツ１１を脱ぐことができる（図３、図４参照）。なお、シャツ１１の裾が肩近くまで捲くれたところで、自由の効く方の手で脱ぐこともできる。
【００１２】
次に、鴨居を脱衣補助具を留める取り付け対象の固定物とする場合について説明する。
図５に示す如く、使用者Ａが立ち姿勢で、不自由でない側の手で脱衣補助具１の内、２つの分岐紐３、４の先端側に取り付けられたクリップ５、６でシャツ１０の背側の左右両脇の裾または裾近くを挟持させる。また、鴨居１２に基紐２の先端側に取り付けられたフック７を掛けて基紐２を留める。なお、先にフック７を鴨居１２に掛けておき、後からクリップ５、６でシャツ１１の背側の左右両脇の裾または裾近くに挟持させても良い。
この状態で上体を真っ直ぐ伸ばし手を上に挙げたままゆっくりしゃがむ。すると、基紐２の先端側が鴨居１２に固定されているため、基紐２と分岐紐３、４がピンと張り、シャツ１１の両裾がクリップ５、６に引っ張られて捲り上げられていく（図６、図７参照）。シャツ１１の裾が肩近くまで捲くれたところで、あとは自由の効く方の手を使って脱ぐことができる。
【００１３】
この実施例によれば、脱衣補助具１の２本の分岐紐３、４の先端に設けられたクリップ５、６で着衣している上半身用の衣類の背側の左右両脇の裾または裾近くの複数箇所を挟持させるとともに、基紐２の先端に設けられたフック７を引き出し１０に固定し前かがみになって後ずさりしたり、鴨居１２に固定した状態で上体を伸ばしたまましゃがんだりすることで、衣類を裾側からまくり上げることができ、片手しか使えない人であっても、上半身用の衣類の脱衣を簡単に行なうことができる。とくに、夏場で汗を掻いて衣類が体に密着してしまっていても、全身の動きによる強い力で衣類を捲くることができ、脱衣が容易となる。
また、使用者Ａが一人で脱衣できるので自立心が育まれ、介助者の負担が減るとともに脱衣の際、使用者Ａが全身を動かす必要があるので運動不足解消にもなる。
【００１４】
なお、上記した実施例では、基紐の先端に設ける取り付け部材としてフックを例に挙げて説明したが、家具や壁などに着脱自在に吸着させる吸盤、スチール家具などに着脱自在に磁着させる磁石、棚等を着脱自在に挟持するクリップなどに置き換えても良い。また、基紐または２本の分岐紐に、長さを調節する長さ調節部材を付設しても良い。図８は基紐に長さ調節部材を取り付けた例を示す。長さ調節部材２０は並設された２つの紐通し孔２１と２２を有し、この紐通し孔２１と２２に基紐２が挿通してある。紐通し孔２１と２２の間の基紐（図８の符号２ａ参照）の長さを変えることで、基紐２の直線的な長さを調節することができる。
また、基紐の先端の取り付け部材を省略し、引き出しの取っ手、鴨居等に基紐の先端部を結び付けることで、取り付け対象の固定物に着脱するようにしても良い。
【実施例２】
【００１５】
次に、図９を参照して本考案の第２実施例を説明する。図９は本考案に係る脱衣補助具の正面図であり、図１と同一の構成部分には同一の符号が付してある。
図９において、脱衣補助具１Ａの基紐２の先端にはゴム製で卵形の握り部３０が取着されている。基紐２はリング状のガイド部材３１の孔３２に挿通されており、孔３２は握り部３０が抜けない大きさに形成されている。ガイド部材３１には引き出し、鴨居等の取り付け対象の固定物に留めるための取り付け部材としてのフック３３が取り付けられている。基紐２の下端には２本に分岐した分岐紐３、４が結合されており、各分岐紐３、４の先端に挟持部材としてのクリップ５、６が取着されている。
【００１６】
次に上記した第２実施例の作用を説明する。
まず、タンスの引き出しを脱衣補助具を留める取り付け対象の固定物とする場合について説明する。
室内において片手が不自由な使用者が着衣している上半身用のシャツを脱ぎたい場合、立ち姿勢で、不自由でない側の手で脱衣補助具１Ａの内、２つの分岐紐３、４の先端側に取り付けられたクリップ５、６でシャツ（図２の符号１１参照）の背側の左右両脇の裾または裾近くを挟持させる（図２の符号５、６参照）。また、タンスの内、自分の背丈に近い引き出し（図２の符号１０参照）を少し引き出し、フック３３を掛けてガイド部材３１を留める。なお、先にフック３３を引き出しに掛けておき、後からクリップ５、６でシャツの背側の左右両脇の裾または裾近くを挟持させても良く、引き出しが取っ手を有する場合は、引き出しの取っ手にフック３３を掛けるようにしても良い。
この状態で前かがみの姿勢を取り、片手で基紐１の先端に取り付けられた握り部３０を掴んでゆっくり後方へ引く。すると、基紐２がガイド部材３１に挿通されているため、基紐２と分岐紐３、４がピンと張り、シャツの両裾がクリップ５、６に引っ張られて捲り上げられていく。シャツの裾が肩近くまで捲くれたところで、あとは握り部３０を放し片手で脱ぐことができる。
【００１７】
次に、鴨居を脱衣補助具を留める取り付け対象の固定物とする場合について説明する。
使用者が立ち姿勢で、不自由でない側の手で脱衣補助具１Ａの内、２つの分岐紐３、４の先端側に取り付けられたクリップ５、６でシャツ（図５の符号１１参照）の背側の左右両脇の裾または裾近くを挟持させる（図５の符号５、６参照）。また、鴨居（図５の符号１２参照）にフック３３を掛けてガイド部材３３を留める。なお、先にフック３３を鴨居に掛けておき、後からクリップ５、６でシャツの背側の左右両脇の裾または裾近くを挟持させても良い。
この状態で上体を真っ直ぐ伸ばし片手で握り部３０を掴んで基紐２をゆっくり引き下げる。すると、基紐２の先端側が鴨居に固定されているため、基紐２と分岐紐３、４がピンと張り、シャツの両裾がクリップ５、６に引っ張られて捲り上げられていく。シャツの裾が肩近くまで捲くれたところで、あとは握り部３０を放し片手で脱ぐことができる。
【００１８】
この第２実施例によれば、脱衣補助具１Ａの２本の分岐紐３、４の先端に設けられたクリップ５、６で着衣している上半身用の衣類の背側の左右両脇の裾または裾近くの複数箇所を挟持させるとともに、フック３３を引き出し、鴨居などに固定し握り部３０を掴んで基紐２を片手で引くことで、衣類を裾側からまくり上げることができ、片手しか使えない人であっても、上半身用の衣類の脱衣を簡単に行なうことができる。
なお、上記した第２実施例では、ガイド部材に設ける取り付け部材としてフックを例に挙げて説明したが、家具や壁などに着脱自在に吸着させる吸盤、スチール家具などに着脱自在に磁着させる磁石、棚を着脱自在に挟持するクリップなどに置き換えても良い。また、基紐または２本の分岐紐に、長さを調節する長さ調節部材を付設しても良い。
また、上記した各実施例、変形例では、分岐紐を２本とする場合を例に挙げて説明したが、３本以上設けるようにしても良い。
【産業上の利用可能性】
【００１９】
本考案は、上半身用の肌着、上着等の衣類を脱ぐときの補助に利用できる。
【符号の説明】
【００２０】
１、１Ａ  脱衣補助具
２  基紐
３、４  分岐紐
５、６  クリップ
７、３３  フック
１１  シャツ
２０  長さ調節部材
３０  握り部
３１  ガイド部材
【図１】
0003182255.tif 000003
【図２】
0003182255.tif 000004
【図３】
0003182255.tif 000005
【図４】
0003182255.tif 000006
【図５】
0003182255.tif 000007
【図６】
0003182255.tif 000008
【図７】
0003182255.tif 000009
【図８】
0003182255.tif 000010
【図９】
0003182255.tif 000011